(57)【要約】【課題】同封物を同梱でき、情報記載欄の隠蔽ができ、また、冊子の表紙を保護することができる冊子送付物を提供する。【解決手段】複数の基材からなる冊子２０と、冊子２０の表紙基材２２と折れ線部１１をはさんで連接し、表紙基材２２とほぼ同じ寸法であり、片面に剥離可能な封緘接着部３１を有した封緘基材３０とを備え、封緘基材３０を折れ線部１１で折り曲げ、封緘接着部３１により冊子２０の表紙基材２１と剥離可能に貼り合わせる。【選択図】図１
2007185875.tif 000002
【特許請求の範囲】
【請求項１】
複数の基材からなる冊子と、
前記冊子の表紙基材と折れ線部をはさんで連接し、前記表紙基材とほぼ同じ寸法であり、片面に剥離可能な封緘接着部を有した封緘基材とを備え、
前記封緘基材を前記折れ線部で折り曲げ、前記封緘接着部により前記冊子の表紙基材と剥離可能に貼り合わせること、
を特徴とする冊子送付物。
【請求項２】
請求項１に記載の冊子送付物において、
前記冊子の表紙基材及び前記封緘基材の間に同封物を挿入すること、
を特徴とする冊子送付物。
【請求項３】
請求項１又は請求項２に記載の冊子送付物において、
前記封緘基材の前記封緘接着部と同じ面に情報記載欄を備え、
前記冊子の表紙基材及び前記封緘基材を剥離可能に貼り合せることで、前記情報記載欄を隠蔽すること、
を特徴とする冊子送付物。
【請求項４】
請求項１から請求項３までのいずれか１項に記載の冊子送付物において、
前記折れ線部に分離線を備えること、
を特徴とする冊子送付物。
【発明の詳細な説明】
【技術分野】
【０００１】
本発明は、カタログなどの冊子を封緘し、ダイレクトメールなどの配送に好適に利用できる冊子送付物に関するものである。
【背景技術】
【０００２】
従来、カタログやパンフレットなどの冊子形状の配送は、封筒や、フィルム（ビニール袋）などで封緘された形態で行なわれてきた。近年、環境負荷を軽減する取り組みからゴミの削減が必要不可欠となり、封筒やフィルムを使用しないで冊子の小口部を簡易に封緘して送付する冊子送付物が提案、実施されている（例えば、特許文献１、特許文献２）。
【０００３】
図２は、冊子送付物の従来例を示す図である。
従来の冊子送付物１００は、カタログやパンフレットなどの冊子１１０の裏表紙１１２と連接した封緘紙１２０を、折れ線部１１５で折り曲げ、表表紙１１１と貼り合わせることにより、冊子１１０の小口部を封緘する。表表紙１１１及び封緘紙１２０は、配送過程での開封を防止するために、図２（Ａ）に示すような、剥離不可能な封緘接着部１２１により封緘され、ファスナー状のミシン目１２２などで開封される方式、又は、図２（Ｂ）に示すような、剥離可能な封緘接着部１２１により封緘及び開封される方式が主に用いられている。
【０００４】
しかし、これらの冊子送付物には以下の課題がある。
（１）カタログやパンフレットなどの冊子の表紙は、送付元企業や商品のブランドイメージを表す顔に相当するものとして大事にされているため、冊子の小口部を封緘しただけで配送する形態では、輸送途中で表紙が擦れて傷ついたりすることがあり、ブランドイメージではマイナス要因となる。
（２）冊子の小口部のみを封緘紙によって封緘するので、天地方向は口が開いた状態となり、冊子にクーポンなどを入れて送ることができない。
（３）冊子と一緒に送付される顧客に対する個別の挨拶文やお礼文、特定のお客様に対する特典の記載などの個人情報の隠蔽機能が不十分である。
【特許文献１】特開平１１−１５１８７６号公報
【特許文献２】実開平０６−０７４３６５号公報
【発明の開示】
【発明が解決しようとする課題】
【０００５】
本発明の課題は、同封物を同梱でき、情報記載欄の隠蔽ができ、また、冊子の表紙を保護することができる冊子送付物を提供することである。
【課題を解決するための手段】
【０００６】
本発明は、以下のような解決手段により、前記課題を解決する。なお、理解を容易にするために、本発明の実施形態に対応する符号を括弧内に付して説明するが、これに限定されるものではない。
請求項１の発明は、複数の基材からなる冊子（２０）と、前記冊子（２０）の表紙基材（２２）と折れ線部（１１）をはさんで連接し、前記表紙基材（２２）とほぼ同じ寸法であり、片面に剥離可能な封緘接着部（３１）を有した封緘基材（３０）とを備え、前記封緘基材（３０）を前記折れ線部（１１）で折り曲げ、前記封緘接着部（３１）により前記冊子（２０）の表紙基材（２１）と剥離可能に貼り合わせることを特徴とする冊子送付物（１０）である。
【０００７】
請求項２の発明は、請求項１に記載の冊子送付物（１０）において、前記冊子（２０）の表紙基材（２１）及び前記封緘基材（３０）の間に同封物（４０）を入れることを特徴とする冊子送付物（１０）である。
【０００８】
請求項３の発明は、請求項１又は請求項２に記載の冊子送付物（１０）において、前記封緘基材（３０）の前記封緘接着部（３１）と同じ面に情報記載欄（３２）を備え、前記冊子（２０）の表紙基材（２１）及び前記封緘基材（３０）を剥離可能に貼り合せることで、前記情報記載欄（３２）を隠蔽することを特徴とする冊子送付物（１０）である。
【０００９】
請求項４の発明は、請求項１から請求項３に記載の冊子送付物（１０）において、前記折れ線部（１１）に分離線（１１）を備えることを特徴とする冊子送付物（１０）である。
【発明の効果】
【００１０】
以上説明したように、本発明によれば、以下のような効果がある。
（１）冊子の表紙基材に封緘基材を剥離可能に貼り合せるので、冊子送付物が配送されたときに冊子の表紙基材が擦れて傷つくのを防止することができる。
（２）冊子の表紙基材及び封緘基材の間に同封物を挿入するので、同封物を脱落させることなく配送することができる。
（３）冊子の表紙基材に封緘基材を剥離可能に貼り合せるので、情報記載欄を隠蔽することができる。
（４）情報記載欄を含んだ封緘基材が折れ線部で冊子から切り離せるので、封緘基材と冊子を個別で保管することができる。
【発明を実施するための最良の形態】
【００１１】
本発明は、同封物を同梱でき、情報記載欄の隠蔽ができ、また、冊子の表紙を保護することができる冊子送付物を提供するという目的を、封緘接着部と情報記載欄を有し、冊子に連接された封緘基材を、折れ線部で折り曲げ、冊子の表紙基材と剥離可能に貼り合せることによって実現する。
【実施例１】
【００１２】
以下、図面等を参照して、本発明の実施例をあげて、さらに詳しく説明する。
図１は、本発明による実施例１の冊子送付物の詳細を示す図である。
冊子送付物１０は、図１（Ａ）のように、冊子２０の裏表紙２２及び封緘紙３０が連接するように構成している。
分離線１１は、冊子２０の裏表紙２２及び封緘紙３０の間にある折り込み及び切り取り用の線であり、例えば、ミシン目である。
冊子２０は、表表紙２１、複数枚の宣伝紙、及び、裏表紙２２の順で積層し一端を糊綴したカタログである。
【００１３】
封緘紙３０は、配達先情報欄３３を備え、反対の面に封緘接着部３１及び個人情報記載欄３２を備えている。
封緘接着部３１は、剥離可能であるが再貼付不可能な接着剤である。
個人情報記載欄３２は、顧客の個人情報を記載する欄であり、例えば、顧客に対する個別の挨拶文やお礼文、及び、特定のお客様に対する特典などを記載する。
配達先情報欄３３は、顧客の宛名を記載する欄である。
切り欠き部３４は、貼り合わされた封緘紙３０を容易に開封するための切り欠きである。
同封物４０は、追加の宣伝及び情報伝達用のシートであり、例えば、割引券などのクーポンである。
【００１４】
次に、実施例１についての使用方法を説明する。
配送元は、冊子送付物１０の封緘紙３０にある個人情報記載欄３２に顧客個々人の宣伝及び伝達情報を記載し、配達先情報欄３３に顧客の宛名を記載する。次に、図１（Ａ）のように、封緘紙３０を分離線１１で折り曲げ、冊子２０の表表紙２１との間に同封物４０を挿入して封緘接着部３１により貼り合わせる。図１（Ｂ）のようになった冊子送付物１０は、個人情報記載欄３２が隠蔽された状態で顧客へ配達される。
【００１５】
仮に、冊子送付物１０が顧客に届けられる前に、個人情報記載欄３２が見開かれた場合、封緘接着部３１の剥離可能であるが再貼付不可能な特性により、封緘紙３０が冊子２０の表表紙２１から剥がされた状態になるため見開かれたことが容易に判明する。
また、配達中は、冊子２０の表表紙２１の全面に封緘紙３０が貼り付けられているため、表表紙２１に傷がつくことはない。
冊子送付物１０を受け取った顧客は、冊子２０の表表紙２１から封緘紙３０を切り欠き部３４より剥がし、個人情報記入欄３２、同封物４０及び冊子２０をそれぞれ見る。封緘紙３０は、図１（Ｃ）のように、分離線１１で冊子２０から切り離せるので、個別に保管することができる。
【００１６】
以上より、実施例１の冊子送付物には以下のような効果がある。
（１）冊子２０の表表紙２１に封緘紙３０を剥離可能に貼り合わせるので、冊子送付物１０が配送されるときに表表紙２１が擦れて傷つくのを防止することができる。
（２）冊子２０の表表紙２１及び封緘紙３０の間に同封物４０を挿入するので、同封物４０を脱落させることなく配送することができる。
（３）冊子２０の表表紙２１に封緘紙３０を剥離可能に貼り合わせるので、個人情報記載欄３２を隠蔽することができる。
（４）個人情報記載欄３２を含んだ封緘紙３０が分離線１１で冊子２０から切り離せるので、封緘紙３０と冊子２０を個別で保管することができる。
【００１７】
（変形例）
以上説明した実施例に限定されることなく、種々の変形や変更が可能であって、それらも本発明の均等の範囲内である。
（１）実施例１では、同封物４０は２枚であったが、それ以外の枚数でもよい。
（２）実施例１では、冊子２０のみを封緘したが、冊子２０に付属物を貼付してもよい。例えば、ＣＤ、ＤＶＤなどの記録媒体や、商品サンプルなどを付属させることも可能である。
（３）実施例１の冊子２０は、表表紙２１、複数枚の宣伝紙、及び、裏表紙２２を糊綴したものであるが、他の方式で綴じてもよい。例えば、針金による中綴や、糸綴でも可能である。
（４）実施例１の封緘紙３０は、３周辺に剥離可能な封緘接着部３１を設けているが、同封物４０がない又は小さい場合は、全面に剥離可能である接着剤を塗布することも可能である。
【図面の簡単な説明】
【００１８】
【図１】本発明による実施例１の冊子送付物を示す図である。
【図２】本発明による従来の冊子送付物を示す図である。
【符号の説明】
【００１９】
１０  冊子送付物
１１  分離線
２０  冊子
２１  表表紙
２２  裏表紙
３０  封緘紙
３１  封緘接着部
３２  個人情報記載欄
３３  配達先情報欄
４０  同封物
【図１】
2007185875.tif 000003
【図２】
2007185875.tif 000004